(57)【要約】【課題】この発明は、プラグ受けに対するプラグピン２０の挿入性を向上するとともに、確実な防水性を確保することができる防水プラグ２、及び防水プラグ付コード１を提供することを目的とする。【解決手段】複数の被覆電線１３を被覆チューブ１４で被覆した電線コード１０における被覆電線１３から露出した芯線１１を接続するプラグピン２０と、プラグピン２０を挿入許容するプラグ挿通孔６７を有するハウジング６０と、被覆チューブ１４、及びハウジング２０を合成樹脂の射出成型により被覆したプラグボディ９０とを備えた防水プラグ２であって、プラグ挿通孔６７への合成樹脂の流入を防止する流入防止カバー７０、及び接続カバー８０を備え、プラグ挿通孔６７を、プラグピン２０を遊挿許容する大きさで形成し、プラグピン２０に、弾性、及び防水性を有するとともに、プラグ挿通孔６７の内面と当接するＯリング２５を備えたことを特徴とする。【選択図】図４
2014038785.tif 000002
【特許請求の範囲】
【請求項１】
複数の被覆電線を被覆体で被覆した電線コードにおける前記被覆電線の絶縁被覆体から所定の長さ露出した導電性の芯線を接続する電線接続部を一端に有する長尺状の接続端子と、
前記接続端子を挿入許容する複数の挿通孔を有するハウジングと、
前記ハウジングから前記被覆体の前記接続端子側に至る範囲を合成樹脂の射出成型により被覆した外皮部材とを備えた防水プラグであって、
前記挿通孔への前記合成樹脂の流入を防止する流入防止手段を備え、
前記挿通孔を、
前記接続端子の長手方向に沿って前記接続端子を遊挿許容する大きさで形成し、前記接続端子に、
弾性、及び防水性を有するとともに、前記長手方向と交差する方向で前記挿通孔の内面と当接するシール部材を備えた
防水プラグ。
【請求項２】
前記シール部材を、
前記接続端子における前記電線接続部よりも他端側に備えた
請求項１に記載の防水プラグ
【請求項３】
前記流入防止手段を、
前記長手方向で前記ハウジングと当接するとともに、前記被覆体を保持する内部中空形状の第１カバーと、
少なくとも前記ハウジングと前記第１カバーとの当接箇所を内包する第２カバーとで構成した
請求項１または請求項２に記載の防水プラグ。
【請求項４】
前記第１カバーに、前記被覆体を咬持する咬持部を備えた
請求項３に記載の防水プラグ。
【請求項５】
請求項１から請求項４のいずれか１つの前記防水プラグにおける前記接続端子に、前記電線コードの前記被覆電線を接続した
防水プラグ付コード。
【請求項６】
前記外皮部材で被覆される位置における前記被覆体に、
前記被覆体の周方向に沿って巻き締めて装着した結束バンドを備えた
請求項５に記載の防水プラグ付コード。
【発明の詳細な説明】
【技術分野】
【０００１】
この発明は、例えば電気自動車や屋外用電気機器等に対して電源装置から電力を供給する際に用いるような防水プラグ、及び防水プラグ付コードに関する。
【背景技術】
【０００２】
従来、電気機器と電源装置、あるいは電気機器同士の接続する際、栓刃や接地端子などの接続端子を内部に装着したプラグをプラグ受けに接続することで、電気機器と電源装置、あるいは電気機器同士の電気的接続を確立して電気回路を構成している。
【０００３】
このようなプラグは、電子レンジなどの屋内用電気機器だけでなく、電気自動車や屋外用電気機器等と電源装置との接続のように屋外でも使用される。このため、プラグには使用環境に応じた高い耐候性や防水性が要求される。特に、水分がプラグ内部に侵入すると、接続端子と芯線との接続箇所に腐食などが生じ、安定した導電性を確保できないおそれがある。
【０００４】
そこで、水分が付着するおそれのある使用環境下で用いられるプラグに対して防水性を向上する様々な技術が提案されている。  
例えば、特許文献１に記載の防水プラグは、樹脂材で形成された第１ハウジングの孔に対してプラグピンの一端を圧入するとともに、第１ハウジングとプラグピンとの圧入部分に接着材を塗布することで、プラグピンからのプラグ内部への防水性を確保することができるとされている。
【０００５】
しかしながら、特許文献１に記載の防水プラグは、第１ハウジングにプラグピンの一端を圧入している、すなわち第１ハウジングにプラグピンが固定されているため、プラグ受けに防水プラグを接続する際、プラグ受けに対してプラグピンの位置を確実に合わせる必要がある。このため、プラグピンの取付け傾きなどによって、プラグ受けとプラグピンとの位置関係にズレが生じると、プラグピンをプラグ受けに接続し難くなるという問題がある。特にプラグピンが複数本、あるいは長尺状のプラグピンの場合、この問題はより顕著になる。
【０００６】
さらに、プラグ受けとプラグピンとの位置関係にズレが生じた状態では、プラグピンをスムーズにプラグ受けに接続することができず、第１ハウジングやプラグピンの圧入部分に過度な負荷が加わり、第１ハウジングの破損、あるいは接着材の剥離が生じて、安定した防水性を確保できないおそれがある。
【先行技術文献】
【特許文献】
【０００７】
【特許文献１】特開平１０−６４６１７号公報
【発明の概要】
【発明が解決しようとする課題】
【０００８】
この発明は、上述の問題に鑑み、プラグ受けに対する接続端子の挿入性を向上するとともに、確実な防水性を確保することができる防水プラグ、及び防水プラグ付コードを提供することを目的とする。
【課題を解決するための手段】
【０００９】
この発明は、複数の被覆電線を被覆体で被覆した電線コードにおける前記被覆電線の絶縁被覆体から所定の長さ露出した導電性の芯線を接続する電線接続部を一端に有する長尺状の接続端子と、前記接続端子を挿入許容する複数の挿通孔を有するハウジングと、前記ハウジングから前記被覆体の前記接続端子側に至る範囲を合成樹脂の射出成型により被覆した外皮部材とを備えた防水プラグであって、前記挿通孔への前記合成樹脂の流入を防止する流入防止手段を備え、前記挿通孔を、前記接続端子の長手方向に沿って前記接続端子を遊挿許容する大きさで形成し、前記接続端子に、弾性、及び防水性を有するとともに、前記長手方向と交差する方向で前記挿通孔の内面と当接するシール部材を備えたことを特徴とする。
【００１０】
前記被覆体は、被覆電線を内包する被覆チューブ、あるいは熱収縮チューブなどとすることができる。  
上記接続端子は、ピン型、あるいはブレード型などの栓刃、あるいは接地端子とすることができる。  
上記合成樹脂は、ポリ塩化ビニルなどで構成することができる。  
上記シール部材は、弾性を有するゴム材などで構成することができる。
【００１１】
この発明により、プラグ受けに対する接続端子の挿入性を向上するとともに、確実な防水性を確保することができる。  
具体的には、シール部材により、挿通孔から防水プラグの内部への水分の侵入を阻止することができる。加えて、外皮部材により電線コード側からの防水プラグの内部への水分の侵入を阻止することができる。このため、防水プラグは、電線接続部や芯線の腐食等をより確実に防止して、安定した導電性を確保することができる。
【００１２】
さらに、流入防止手段により、外皮部材の射出成型の際、合成樹脂が挿通孔に流入することを防止できる。このため、防水プラグは、接続端子が外皮部材によって固定されることを防止できる。
【００１３】
加えて、接続端子を遊挿する大きさで挿通孔を形成しているため、防水プラグは、挿通孔の内部において接続端子をシール部材で弾性支持することができる。このため、防水プラグは、接続端子に作用する負荷によって、接続端子を適度に揺動可能にすることができる。
【００１４】
これにより、防水プラグをプラグ受けに接続する際、防水プラグは、接続端子が適度に揺動することで、プラグ受けと接続端子との位置関係のズレによる接続端子の引っ掛りなどを低減して、プラグ受けへの接続を容易にすることができる。このため、防水プラグは、接続端子の挿入性を向上するとともに、過度な負荷が作用することによる接続端子やハウジングの破損等を防止することができる。  
従って、防水プラグは、プラグ受けに対する接続端子の挿入性を向上するとともに、確実な防水性を確保することができる。
【００１５】
この発明の態様として、前記シール部材を、前記接続端子における前記電線接続部よりも他端側に備えることができる。  
この発明により、シール部材に対して電線接続部を防水プラグの内部側に位置することができる。これにより、防水プラグは、電線接続部に対する防水処理を不要にすることができる。
【００１６】
さらに、電線接続部に防水処理を施した場合に対して、防水プラグは、防水処理の劣化等によって水分が侵入して、電線接続部の腐食等が生じることを防止できる。  
従って、防水プラグは、プラグ受けに対する接続端子の挿入性を向上するとともに、より安定した導電性を確保することができる。
【００１７】
また、この発明の態様として、前記流入防止手段を、前記長手方向で前記ハウジングと当接するとともに、前記被覆体を保持する内部中空形状の第１カバーと、少なくとも前記ハウジングと前記第１カバーとの当接箇所を内包する第２カバーとで構成することができる。
【００１８】
この発明により、接続端子に作用する負荷をより軽減するとともに、電線接続部に対する水分の付着をより確実に防止することができる。  
具体的には、ハウジングと第１カバーとにより、電線接続部近傍の被覆電線を収容する収容空間を構成することができる。このため、被覆電線が外皮部材で拘束されず、被覆電線は、収容空間内で適度に湾曲することができる。
【００１９】
これにより、防水プラグは、被覆電線が収容空間内で湾曲することで、接続端子に作用した負荷を吸収することができる。ゆえに、防水プラグは、接続端子やハウジングに対してより過度な負荷が作用することを防止できる。さらに、万一、外皮部材が損傷しても、第１カバーにより、電線接続部に直接的に水分が付着することを防止できる。
【００２０】
また、第２カバーによって、ハウジングと第１カバーとの当接箇所を覆うことができる。このため、ハウジングと第１カバーとの隙間から第１カバーの内部に水分が侵入することを防止することができる。
【００２１】
さらに、第１カバー、及び第２カバーによって、電線接続部への水分の侵入経路がより複雑化、かつ侵入経路の長さを延長することができる。これにより、電線接続部への水分の侵入をより確実に防止することができる。
【００２２】
加えて、流入防止手段を第１カバー、及び第２カバーで構成したことにより、合成樹脂の射出成型の際、挿通孔に合成樹脂が流入することを確実に防止することができる。  
従って、防水プラグは、接続端子に作用する負荷をより軽減するとともに、電線接続部に対する水分の付着をより確実に防止することができる。
【００２３】
また、この発明の態様として、前記第１カバーに、前記被覆体を咬持する咬持部を備えることができる。  
この発明により、第１カバーと被覆体との隙間を確実に塞ぐことができる。このため、万一、外皮部材が損傷する、あるいは外皮部材と被覆体との間に隙間が生じた場合、被覆体を伝って水分が第１カバーの内部に侵入することを咬持部で確実に阻止することができる。  
従って、防水プラグは、被覆体からの第１カバーの内部に水分が侵入することをより確実に防止できる。
【００２４】
また、この発明は、上記防水プラグにおける前記接続端子に、前記電線コードの前記被覆電線を接続した防水プラグ付コードであることを特徴とする。  
この発明により、プラグ受けに対する接続端子の挿入性を向上するとともに、確実な防水性を確保した防水プラグ付コードを構成することができる。
【００２５】
また、この発明の態様として、前記外皮部材で被覆される位置における前記被覆体に、前記被覆体の周方向に沿って巻き締めて装着した結束バンドを備えることができる。  
この発明により、外皮部材と被覆体との境界において、被覆体から接続端子への水分の侵入経路をより複雑にすることができる。さらに、結束バンドによって電線コードを外皮部材に係止することができる。
【００２６】
このため、防水プラグから電線コードを引抜く方向に電線コードが引っ張られた際、電線コードが引抜き方向への移動を阻止することができる。これにより、電線コードの被覆体と外皮部材との間に隙間が生じることを防止できる。  
従って、防水プラグ付コードは、より確実な防水性を確保することができる。
【発明の効果】
【００２７】
この発明により、プラグ受けに対する接続端子の挿入性を向上するとともに、確実な防水性を確保できる防水プラグ、及び防水プラグ付コードを提供することができる。
【図面の簡単な説明】
【００２８】
【図１】防水プラグ付コードにおける上方からの外観を示す外観斜視図。
【図２】防水プラグ付コードにおける側方からの外観を示す側面図。
【図３】図１中のＡ−Ａ矢視断面図。
【図４】図２中のＢ−Ｂ矢視断面図。
【図５】被覆電線を接続したプラグピンにおける上方からの外観を示す外観斜視図。
【図６】端子カバー、及びハウジングを説明する説明図。
【図７】ハウジングにおける背面からの外観を示す背面図。
【図８】接続カバー、及び流入防止カバーの上方からの外観を示す外観斜視図。
【図９】プラグボディを射出成型する前の状態を示す外観斜視図。
【発明を実施するための形態】
【００２９】
この発明の一実施形態を以下図面と共に説明する。  
なお、図１は防水プラグ付コード１における上方からの外観斜視図を示し、図２は防水プラグ付コード１における側方からの側面図を示し、図３は図１中のＡ−Ａ矢視断面図を示し、図４は図２中のＢ−Ｂ矢視断面図を示している。
【００３０】
さらに、図５は被覆電線１３を接続したプラグピン２０における上方からの外観斜視図を示し、図６は端子カバー５０、及びハウジング６０を説明する説明図を示し、図７はハウジング６０における背面からの背面図を示し、図８は流入防止カバー７０、及び接続カバー８０の上方からの外観斜視図を示し、図９はプラグボディ９０を射出成型する前の状態の外観斜視図を示している。
【００３１】
また、図６において図６（ａ）は前方からの外観斜視図を示し、図６（ｂ）は後方からの外観斜視図を示している。  
また、図１から図６、図８、及び図９において、図中の左側を前方側、あるいは正面側とし、図中の右側を後方側、あるいは背面側とする。さらに、図１から図９において、図中の上側を上方側とし、下側を下方側とする。
【００３２】
防水プラグ付コード１は、図１に示すように、電線コード１０、及び正面視略円形状の防水プラグ２で構成している。  
電線コード１０は、図３及び図４に示すように、導電性を有する複数の素線（図示省略）からなる芯線１１を、絶縁性の絶縁被覆体１２で被覆した被覆電線１３を複数本束ねて、被覆チューブ１４で被覆して構成している。
【００３３】
なお、本実施例では、後述する２本のプラグピン２０、接地端子３０、及びサーミスタ４０に接続する３本の被覆電線１３を被覆チューブ１４で束ねて被覆している。さらに、被覆チューブ１４の前方端部における近傍を結束バンド１５で巻き締めている。
【００３４】
防水プラグ２は、図２から図４に示すように、２本のプラグピン２０、１本の接地端子３０、サーミスタ４０、端子カバー５０、ハウジング６０、流入防止カバー７０、接続カバー８０、及びプラグボディ９０で構成している。
【００３５】
プラグピン２０は、図４及び図５に示すように、図示しないプラグ受けに接続される端子部２１と、絶縁被覆体１２から所定の長さ露出させた芯線１１を溶接固定する溶接部２２と、芯線１１を加締め圧着する加締め部２３とを前方からこの順番で一体にして構成している。  
端子部２１は、前後方向に延びる略中実円柱状に形成している。さらに、端子部２１の後方端部近傍には、径方向内側に向けて凹設した環状溝部２４を形成している。
【００３６】
この環状溝部２４には、弾性、及び防水性を有するＯリング２５を装着している。なお、Ｏリング２５は、プラグピン２０をハウジング６０に装着した状態において、後述するハウジング６０におけるプラグ挿通孔６７の内面とでプラグピン２０を弾性支持する内外径を有する大きさに形成している。
【００３７】
溶接部２２は、正面視において、端子部２１より大径の略円形状の筒状体における側面を端子部２１の外径と略同一の幅で切り落とした正面視略オーバル形状の筒状体に形成している。さらに、プラグピン２０に芯線１１を溶接固定するために、溶接部２２には、上下方向、及び前後方向に所定の大きさで開口した溶接開口部２６を形成している。  
加締め部２３は、端子部２１より小径で、芯線１１を挿通許容する略円筒状に形成している。
【００３８】
接地端子３０は、図３に示すように、プラグピン２０と同様に端子部３１、溶接部３２、及び加締め部３３を一体にして構成している。さらに、端子部３１の後方端部近傍には、プラグピン２０と同様の環状溝部３４を形成するとともに、環状溝部３４にＯリング３５を装着している。
【００３９】
なお、接地端子３０は、プラグピン２０の端子部２１、及び溶接部２２の外径に対して接地端子３０の端子部３１、及び溶接部３２の外径を大きく、かつ端子部３１の長さを長く形成している。
【００４０】
端子カバー５０は、図３及び図６に示すように、略円筒状の本体筒部５１と、本体筒部５１の外径より大径で所定の厚みを有するフランジ部５２と、ハウジング６０を装着可能な内径を有する略円筒状の装着部５３とを前後方向にこの順番で一体にして形成している。
【００４１】
さらに、装着部５３には、周方向に沿って所定の間隔を隔てた位置に、径方向内側に向けて突設した爪部を有する係止爪部５４を４つ形成している。加えて、装着部５３には、係止爪部５４と径方向内側で内向して、前後方向に延びる略平板状のガイド板部５５を４つ形成している。なお、係止爪部５４が後述するハウジング６０の被係止部６２に係止するとともに、ガイド板部５５が後述するハウジング６０のガイド溝部６１に嵌合する。
【００４２】
ハウジング６０は、図３、図６、及び図７に示すように、装着部５３の内径と略同一の外径を有する略円柱状に形成している。このハウジング６０の外周面には、端子カバー５０のガイド板部５５が嵌合する４つのガイド溝部６１を、周方向に沿って所定の間隔を隔てた位置において、径方向内側に向けて凹設するとともに、端子カバー５０の係止爪部５４が係止する４つの被係止部６２を、ガイド溝部６１の後方において径方向外側に向けて突設している。
【００４３】
さらに、ハウジング６０の背面には、被覆電線１３に接続したサーミスタ４０を装着するサーミスタ装着部６３、後述する流入防止カバー７０の被嵌合部７７に嵌合する２つの嵌合爪部６４と、及び後述する流入防止カバー７０の装着を誘導する２つのガイド壁部６５を後方に向けて形成している。
【００４４】
サーミスタ装着部６３は、略円筒状の筒部と、筒部から上方に延設した略平板状の板部とを一体にして、ハウジング６０の背面における略中央に形成している。
【００４５】
嵌合爪部６４は、径方向で対向するようにハウジング６０の外周縁から後方に向けて立設するとともに、後端に径方向内側へ突出した爪部を有する形状に形成している。
【００４６】
ガイド壁部６５は、前後方向、及び上下方向と交差する方向に厚みを有する略平板状であって、２つの嵌合爪部６４の間において、サーミスタ装着部６３を挟んで径方向で対面するとともに、ハウジング６０の中心より下方の位置に形成している。
【００４７】
そして、ハウジング６０には、被覆電線１３に接続したサーミスタ４０を挿入許容するサーミスタ装着孔６６と、２本のプラグピン２０を遊挿する２つのプラグ挿通孔６７と、１本の接地端子３０を遊挿する接地端子挿通孔６８とを前後方向に形成している。
【００４８】
サーミスタ装着孔６６は、図３に示すように、サーミスタ装着部６３の内部空間を前方に向けて延設した非貫通の孔形状に形成している。  
プラグ挿通孔６７は、図４、図６、及び図７に示すように、背面視においてガイド壁部６５の上方に位置するとともに、ハウジング６０を前後方向に貫通するように形成している。
【００４９】
より詳しくは、プラグ挿通孔６７は、図４及び図７に示すように、ハウジング６０の後方側に形成するとともに、プラグピン２０の溶接部２２を挿通する第１挿通部６７ａと、第１挿通部６７ａより前方に形成するとともに、端子部２１を挿通する第２挿通部６７ｂとを一体にして形成している。
【００５０】
第１挿通部６７ａは、プラグピン２０の溶接部２２の外形形状と略同一の背面視略オーバル形状の内面形状であって、径方向において溶接部２２との間に約１ｍｍの隙間を有する大きさに形成している。  
第２挿通部６７ｂは、プラグピン２０の端子部２１の外形形状と略同一の内面形状であって、径方向において端子部２１との間に約１ｍｍの隙間を有する内径で形成している。
【００５１】
そして、プラグ挿通孔６７は、第１挿通部６７ａにおける曲面範囲の内径と、第２挿通部６７ｂの内径との差で形成した段差により、プラグピン２０の前方への移動を規制する規制部６７ｃを構成している。
【００５２】
接地端子挿通孔６８は、図３、図６、及び図７に示すように、背面視においてサーミスタ装着部６３の下方に位置するとともに、ハウジング６０を前後方向に貫通するように形成している。
【００５３】
より詳しくは、接地端子挿通孔６８は、図３及び図７に示すように、ハウジング６０の後方側に形成するとともに、接地端子３０の溶接部３２を挿通する第１挿通部６８ａと、第１挿通部６８ａより前方に形成するとともに、端子部３１を挿通する第２挿通部６８ｂとを一体にして形成している。
【００５４】
第１挿通部６８ａは、接地端子３０の溶接部３２の外形形状と略同一の背面視略オーバル形状の内面形状であって、径方向において溶接部３２との間に約１ｍｍの隙間を有する大きさに形成している。  
第２挿通部６８ｂは、接地端子３０の端子部３１の外形形状と略同一の内面形状であって、径方向において端子部３１との間に約１ｍｍの隙間を有する内径で形成している。
【００５５】
そして、接地端子挿通孔６８は、第１挿通部６８ａにおける曲面範囲の内径と、第２挿通部６８ｂの内径との差で形成した段差により、接地端子３０の前方への移動を規制する規制部６８ｃを構成している。
【００５６】
流入防止カバー７０は、図３及び図４に示すように、電線コード１０の被覆チューブ１４を内包する略円筒状の咬持部７１と、咬持部７１から前方に向けて延設するとともに、被覆電線１３を収容する空間を有するカバー本体部７２とを一体にして形成している。
【００５７】
咬持部７１の内周面には、図３に示すように、前後方向における断面形状が径方向内側に向けて略山型状に突設するとともに、周方向に沿って形成された咬持突部７３を、前後方向に所定の間隔を隔てた位置に２つ備えている。
【００５８】
カバー本体部７２は、後方端に咬持部７１の内部開口と連続する開口を有して、前方端がハウジング６０と前後方向で当接する略釣鐘状の外形形状に形成している。そして、咬持部７１の内部開口と連続する開口の前方には、被覆電線１３を収容する収容空間Ｓを形成している。
【００５９】
さらに、収容空間Ｓの前方には、図３に示すように、サーミスタ装着部６３、接地端子３０の加締め部３３、及び被覆電線１３を収容する中央収容部７４と、図４に示すように、ガイド壁部６５、プラグピン２０の加締め部２３、及び被覆電線１３を収容する２つのプラグ収容部７５とを形成している。
【００６０】
加えて、カバー本体部７２の外周面には、図３に示すように、カバー本体部７２の外周面における上面、及び下面からそれぞれ上方、及び下方に向けて突設したカバー嵌合部７６と、図４に示すように、カバー本体部７２の側面から径方向内側に向けて凹設した被嵌合部７７を形成している。なお、カバー嵌合部７６が後述する接続カバー８０のカバー被嵌合部８４に嵌合し、被嵌合部７７にハウジング６０の嵌合爪部６４が嵌合する。
【００６１】
より詳しくは、流入防止カバー７０は、図８に示すように、正面視略半円状の第１カバー部７０ａと第２カバー部７０ｂとを上下方向に組み付けて構成している。  
なお、第１カバー部７０ａにおける中央収容部７４を第１中央収容部７４ａとし、プラグ収容部７５を第１プラグ収容部７５ａとし、第２カバー部７０ｂにおける中央収容部７４を第２中央収容部７４ｂとし、プラグ収容部７５を第２プラグ収容部７５ｂとする。
【００６２】
第１中央収容部７４ａは、正面視略半円状に凹設した半円溝部と、半円溝部の底部から正面視略Ｕ字状に凹設したＵ字溝部とを組み合わせた溝形状に形成している。この第１中央収容部７４ａには、サーミスタ装着部６３、接地端子３０の加締め部３３、及び被覆電線１３の下方側が収容される。
【００６３】
第１プラグ収容部７５ａは、第１中央収容部７４ａを挟んで径方向に所定の間隔を隔てた位置において、正面視略Ｕ字状に凹設した溝形状に形成している。この第１プラグ収容部７５ａには、ガイド壁部６５が収容される。
【００６４】
一方、第２中央収容部７４ｂは、正面視略半円状に凹設した半円溝部と、半円溝部の底部から正面視略Ｕ字状に凹設したＵ字溝部とを組み合わせた溝形状に形成している。この第２中央収容部７４ｂには、サーミスタ装着部６３、接地端子３０の加締め部３３、及び被覆電線１３の上方側が収容される。
【００６５】
第２プラグ収容部７５ｂは、第２中央収容部７４ｂを挟んで径方向に所定の間隔を隔てた位置において、正面視略Ｕ字状で凹設した溝形状に形成している。この第２プラグ収容部７５ｂには、プラグピン２０の加締め部２３、及び被覆電線１３が収容される。
【００６６】
カバー嵌合部７６は、後述するカバー被嵌合部８４の曲面に沿った外形形状を有する略平板状に形成されるとともに、第１カバー部７０ａの下方、及び第２カバー部７０ｂの上方に向けてそれぞれ１つ形成している。
【００６７】
被嵌合部７７は、第１カバー部７０ａ、及び第２カバー部７０ｂの側面をそれぞれ径方向内側に向けて凹設し、第１カバー部７０ａと第２カバー部７０ｂとを組み付けることで構成している。
【００６８】
また、第１カバー部７０ａにおける第２カバー部７０ｂとの合わせ面には、被嵌合部７７より後方における本体筒部５１の断面形状に沿って突設した線条突部７８を形成している。  
一方、第２カバー部７０ｂにおける第１カバー部７０ａとの合わせ面には、線条突部７８と上下方向で凹凸嵌合するように凹設した線条溝部７９を形成している。
【００６９】
接続カバー８０は、図３及び図４に示すように、端子カバー５０におけるフランジ部５２の背面から流入防止カバー７０における本体筒部５１の略中央近傍を覆う前後長さを有する略円筒状に形成している。  
より詳しくは、接続カバー８０は、図７に示すように、正面視略半円状の分割カバー８１を上下方向に組み付けて略円筒状に形成している。
【００７０】
分割カバー８１は、装着部５３の外径半径と略同一の内径半径を有するカバー前部８２と、流入防止カバー７０の外径半径と略同一の内径半径を有するカバー後部８３とを一体にして形成している。  
カバー後部８３の内周面には、流入防止カバー７０のカバー嵌合部７６が嵌合するカバー被嵌合部８４を径方向外側に向けて凹設している。
【００７１】
さらに、カバー後部８３における他方の分割カバー８１との合わせ面には、組み付け方向に立設した１つカバー係止爪部８５と、他方の分割カバー８１のカバー係止爪部８５が係止する係止開口部８６とを形成している。
【００７２】
プラグボディ９０は、図２に示すように、端子カバー５０におけるフランジ部５２の背面から結束バンド１５よりも後方に至る範囲を、絶縁性を有するポリ塩化ビニルなどの合成樹脂で被覆している。
【００７３】
次に、上述した電線コード１０、プラグピン２０、接地端子３０、サーミスタ４０、端子カバー５０、ハウジング６０、流入防止カバー７０、及び接続カバー８０を組み付けるとともに、射出成型にてプラグボディ９０を形成することで防水プラグ付コード１を構成する方法について説明する。
【００７４】
具体的には、絶縁被覆体１２から所定の長さ露出させた芯線１１を、プラグピン２０の溶接部２２の溶接開口部２６まで挿入したのち、プラグピン２０の溶接部２２と芯線１１とを溶着するとともに、加締め部２３を加締めて芯線１１を圧着して、プラグピン２０と被覆電線１３とを接続する。なお、接地端子３０についても同様の方法で被覆電線１３を接続する。
【００７５】
そして、端子カバー５０の装着部５３にハウジング６０を前後方向に挿入して、端子カバー５０の係止爪部５４を、ハウジング６０の被係止部６２に係止することで、端子カバー５０にハウジング６０を組み付ける。その後、被覆電線１３と接続したプラグピン２０、接地端子３０、及びサーミスタ４０をそれぞれプラグ挿通孔６７、接地端子挿通孔６８、及びサーミスタ装着孔６６に挿入する。
【００７６】
この際、プラグピン２０の溶接部２２、及び接地端子３０の溶接部３２が、プラグ挿通孔６７の第１挿通部６７ａ、及び接地端子挿通孔６８の第１挿通部６８ａに挿入できるようプラグピン２０、及び接地端子３０を適宜回転させて挿入する。
【００７７】
被覆電線１３が接続されたプラグピン２０、接地端子３０、及びサーミスタ４０を挿入したハウジング６０の嵌合爪部６４が、流入防止カバー７０の被嵌合部７７に嵌合するとともに、第１カバー部７０ａの線条突部７８と第２カバー部７０ｂの線条溝部７９とを凹凸嵌合するように、第１カバー部７０ａと第２カバー部７０ｂとを上下方向に組み付ける。
【００７８】
この際、中央収容部７４にサーミスタ装着部６３、接地端子３０の加締め部３３、及び被覆電線１３を収容し、２つのプラグ収容部７５にそれぞれガイド壁部６５、プラグピン２０の加締め部２３、及び被覆電線１３を収容し、収容空間Ｓに被覆電線１３を収容するとともに、咬持部７１で被覆チューブ１４を咬持するように第１カバー部７０ａと第２カバー部７０ｂとを組み付ける。
【００７９】
引き続き、流入防止カバー７０に対して、分割カバー８１を上下方向から挟み込むようにして組み付けて接続カバー８０を構成する。この際、流入防止カバー７０のカバー嵌合部７６をカバー被嵌合部８４に嵌合させるとともに、カバー係止爪部８５を係止開口部８６に係止させて組み付ける。
【００８０】
このようにして組み付けると、図９に示すように、電線コード１０から露出した各被覆電線１３、溶接部２２、３２、加締め部２３、３３、及びハウジング６０の後方側が、流入防止カバー７０、及び接続カバー８０で覆われた状態となる。このような状態において、端子カバー５０におけるフランジ部５２の背面から結束バンド１５よりも後方に至る範囲を、射出成型によって被覆して合成樹脂製のプラグボディ９０を形成し、防水プラグ付コード１を構成する。
【００８１】
以上のような構成の防水プラグ２、及び防水プラグ付コード１は、プラグ受けに対するプラグピン２０、及び接地端子３０の挿入性を向上するとともに、確実な防水性を確保することができる。
【００８２】
具体的には、Ｏリング２５、３５により、プラグ挿通孔６７、及び接地端子挿通孔６８から防水プラグ２の内部への水分の侵入を阻止することができる。加えて、プラグボディ９０により電線コード１０側から防水プラグ２の内部への水分の侵入を阻止することができる。このため、防水プラグ２は、溶接部２２、３２、及び加締め部２３、３３や芯線１１の腐食等をより確実に防止して、安定した導電性を確保することができる。
【００８３】
さらに、流入防止カバー７０、及び接続カバー８０により、プラグボディ９０の射出成型の際、合成樹脂がプラグ挿通孔６７、及び接地端子挿通孔６８に流入することを防止できる。このため、防水プラグ２は、プラグピン２０、及び接地端子３０がプラグボディ９０によって固定されることを防止できる。
【００８４】
加えて、プラグピン２０、及び接地端子３０を遊挿する大きさでプラグ挿通孔６７、及び接地端子挿通孔６８を形成しているため、防水プラグ２は、プラグ挿通孔６７、及び接地端子挿通孔６８の内部においてプラグピン２０、及び接地端子３０をＯリング２５、３５で弾性支持することができる。このため、防水プラグ２は、プラグピン２０、及び接地端子３０に作用する負荷によって、プラグピン２０、及び接地端子３０を適度に揺動可能にすることができる。
【００８５】
これにより、防水プラグ２をプラグ受けに接続する際、防水プラグ２は、プラグピン２０、及び接地端子３０が適度に揺動することで、プラグ受けとの位置関係のズレによるプラグピン２０、及び接地端子３０の引っ掛りなどを低減して、プラグ受けへの接続を容易にすることができる。
【００８６】
このため、防水プラグ２は、プラグピン２０、及び接地端子３０の挿入性を向上するとともに、過度な負荷が作用することによるプラグピン２０、及び接地端子３０やハウジング６０の破損等を防止することができる。  
従って、防水プラグ２は、プラグ受けに対するプラグピン２０、及び接地端子３０の挿入性を向上するとともに、確実な防水性を確保することができる。
【００８７】
また、Ｏリング２５、３５を、プラグピン２０、及び接地端子３０における端子部２１、３１に備えたことにより、Ｏリング２５、３５に対して溶接部２２、３２、及び加締め部２３、３３を防水プラグ２の内部側に位置することができる。これにより、防水プラグ２は、溶接部２２、３２、及び加締め部２３、３３に対する防水処理を不要にすることができる。
【００８８】
さらに、溶接部２２、３２、及び加締め部２３、３３に防水処理を施した場合に対して、防水プラグ２は、防水処理の劣化等によって水分が侵入して、溶接部２２、３２、及び加締め部２３、３３の腐食等が生じることを防止できる。  
従って、防水プラグ２は、プラグ受けに対するプラグピン２０、及び接地端子３０の挿入性を向上するとともに、より安定した導電性を確保することができる。
【００８９】
また、流入防止カバー７０と、接続カバー８０とを備えたことにより、プラグピン２０、及び接地端子３０に作用する負荷をより軽減するとともに、溶接部２２、３２、及び加締め部２３、３３に対する水分の付着をより確実に防止することができる。
【００９０】
具体的には、ハウジング６０と流入防止カバー７０とにより、溶接部２２、３２、及び加締め部２３、３３近傍の被覆電線１３を収容する収容空間Ｓを構成することができる。このため、被覆電線１３がプラグボディ９０で拘束されず、被覆電線１３は、収容空間Ｓで適度に湾曲することができる。
【００９１】
これにより、防水プラグ２は、被覆電線１３が収容空間Ｓで湾曲することで、プラグピン２０、及び接地端子３０に作用した負荷を吸収することができる。ゆえに、防水プラグ２は、プラグピン２０、及び接地端子３０やハウジング６０に対してより過度な負荷が作用することを防止できる。さらに、万一、プラグボディ９０が損傷しても、流入防止カバー７０により、溶接部２２、３２、及び加締め部２３、３３に直接的に水分が付着することを防止できる。
【００９２】
また、接続カバー８０によって、ハウジング６０と流入防止カバー７０との当接箇所を覆うことができる。このため、ハウジング６０と流入防止カバー７０との隙間から流入防止カバー７０の内部に水分が侵入することを防止することができる。
【００９３】
さらに、流入防止カバー７０、及び接続カバー８０によって、溶接部２２、３２、及び加締め部２３、３３への水分の侵入経路がより複雑化、かつ侵入経路の長さを延長することができる。これにより、溶接部２２、３２、及び加締め部２３、３３への水分の侵入をより確実に防止するとともに、合成樹脂の射出成型の際、プラグ挿通孔６７、及び接地端子挿通孔６８に合成樹脂が流入することを確実に防止することができる。
【００９４】
加えて、第１カバー部７０ａに線条突部７８を備え、第２カバー部７０ｂに線条溝部７９を備えたことにより、接続カバー８０で覆われない流入防止カバー７０の隙間から、水分、及び合成樹脂が内部に流入することを防止できる。
【００９５】
従って、防水プラグ２は、プラグピン２０、及び接地端子３０に作用する負荷をより軽減するとともに、溶接部２２、３２、及び加締め部２３、３３に対する水分の付着をより確実に防止することができる。
【００９６】
また、流入防止カバー７０に咬持部７１を備えたことにより、流入防止カバー７０と被覆チューブ１４との隙間を確実に塞ぐことができる。このため、万一、プラグボディ９０が損傷する、あるいはプラグボディ９０と被覆チューブ１４との間に隙間が生じた場合、被覆チューブ１４を伝って水分が流入防止カバー７０の内部に侵入することを咬持部７１で確実に阻止することができる。  
従って、防水プラグ２は、被覆チューブ１４からの流入防止カバー７０の内部に水分が侵入することをより確実に防止できる。
【００９７】
また、防水プラグ２におけるプラグピン２０、及び接地端子３０に、電線コード１０の被覆電線１３を接続することで、プラグ受けに対するプラグピン２０、及び接地端子３０の挿入性を向上するとともに、確実な防水性を確保した防水プラグ付コード１を構成することができる。
【００９８】
また、プラグボディ９０で被覆される位置における被覆チューブ１４に結束バンド１５を備えたことにより、プラグボディ９０と被覆チューブ１４との境界において、被覆チューブ１４からプラグピン２０、及び接地端子３０への水分の侵入経路をより複雑にすることができる。さらに、結束バンド１５によって電線コード１０をプラグボディ９０に係止することができる。
【００９９】
このため、防水プラグ２から電線コード１０を引抜く方向に電線コード１０が引っ張られた際、電線コード１０が引抜き方向への移動を阻止することができる。これにより、電線コード１０の被覆チューブ１４とプラグボディ９０との間に隙間が生じることを防止できる。  
従って、防水プラグ付コード１は、より確実な防水性を確保することができる。
【０１００】
なお、上述の実施例において、略円柱状の端子部２１、３１を有するプラグピン２０、及び接地端子３０を用いて説明したが、これに限定せず、略平板状のブレード型の端子部であってもよい。
【０１０１】
また、プラグ挿通孔６７、及び接地端子挿通孔６８をプラグピン２０、及び接地端子３０を遊挿する構成としたが、これに限定せず、プラグ挿通孔６７、あるいは接地端子挿通孔６８のいずれか一方において遊挿する構成としてもよい。
【０１０２】
例えば、プラグピン２０の端子部２１より端子部３１が長い接地端子３０を接地端子挿通孔６８に遊挿しない構成としてもよい。この場合、プラグピン２０に対して長さが長い接地端子３０が、防水プラグ２をプラグ受けに接続する際のガイドピンとしての役割を果たすことができる。
【０１０３】
また、端子部２１、３１にＯリング２５、３５を装着したが、これに限定せず、例えば、溶接部２２、３２と加締め部２３、３３との間にＯリング２５、３５を備えてもよい。この際、溶接部２２、３２に対して防水処理を施して水分の付着による腐食を防止する。
【０１０４】
また、流入防止カバー７０、及び接続カバー８０をそれぞれ分割した形状としたが、これに限定せず、合成樹脂の流入と、水分の侵入を防止できる形状であれば、適宜の形状としてもよい。
【０１０５】
また、被覆電線１３と接続したサーミスタ４０を備えた防水プラグ付コード１としたが、これに限定せず、サーミスタ４０を備えていない防水プラグ付コードであってもよい。  
また、プラグ受けに対して防水プラグ２を固定するためのロック部材を、防水プラグ２に備えてもよい。
【０１０６】
この発明の構成と、上述の実施形態との対応において、
この発明の被覆体は、実施形態の被覆チューブ１４に対応し、
以下同様に、
電線接続部は、溶接部２２，３２、及び加締め部２３，３３に対応し、
接続端子は、プラグピン２０、及び接地端子３０に対応し、
挿通孔は、プラグ挿通孔６７、接地端子挿通孔６８に対応し、
外皮部材は、プラグボディ９０に対応し、
流入防止手段は、流入防止カバー７０、及び接続カバー８０に対応し、
長手方向は、前後方向に対応し、
シール部材は、Ｏリング２５，３５に対応し、
第１カバーは、流入防止カバー７０に対応し、
第２カバーは、接続カバー８０に対応するが、
この発明は、上述の実施形態の構成のみに限定されるものではなく、多くの実施の形態を得ることができる。
【符号の説明】
【０１０７】
１…防水プラグ付コード
２…防水プラグ
１０…電線コード
１１…芯線
１２…絶縁被覆体
１３…被覆電線
１４…被覆チューブ
１５…結束バンド
２０…プラグピン
２２，３２…溶接部
２３，３３…加締め部
２５，３５…Ｏリング
３０…接地端子
６０…ハウジング
６７…プラグ挿通孔
６８…接地端子挿通孔
７０…流入防止カバー
７１…咬持部
８０…接続カバー
９０…プラグボディ
【図１】
2014038785.tif 000003
【図２】
2014038785.tif 000004
【図３】
2014038785.tif 000005
【図４】
2014038785.tif 000006
【図５】
2014038785.tif 000007
【図６】
2014038785.tif 000008
【図７】
2014038785.tif 000009
【図８】
2014038785.tif 000010
【図９】
2014038785.tif 000011